(57)【要約】【課題】クレーンの合理化及び定置までの廃棄物取扱いを簡易化することができる、ドラム缶に固型化された放射性廃棄物の定置設備および定置方法を提供する。【解決手段】放射性廃棄物を収納して固型化してドラム缶を吊上げて運搬し、埋設施設のコンクリートピット内に定置する定置クレーンを備え、クレーンを支持するクレーン支持部をコンリートピットの壁部上に設置した。【選択図】  図１
2006337120.tif 000002
【特許請求の範囲】
【請求項１】
放射性廃棄物を収納して固型化してドラム缶を吊上げて運搬し、埋設施設のコンクリートピット内に定置する定置クレーンを備えた放射性廃棄物の定置設備において、前記クレーンを支持するクレーン支持部を前記コンリートピットの壁部上に設置したことを特徴とする放射性廃棄物の定置設備。
【請求項２】
前記定置クレーンの上部および前記コンクリートピット全体を覆う定置作業用屋根を備え、この屋根は、前記コンクリートピットの側壁上面に設置された定置クレーン用レール上で移動可能とし、かつ張り替え可能なシート、このシートを張る屋根枠および前記屋根枠から垂下する雨除けシート部とを有する請求項１記載の放射性廃棄物の定置設備。
【請求項３】
前記前記定置クレーンは、前記ラックを前記コンクリートピットに定置させる際に吊下し時のラックの揺れを防止する振れ止め用シャフトを有する請求項１記載の放射性廃棄物の定置設備。
【請求項４】
放射性廃棄物を収納し固型化したドラム缶が数本収納可なラックに放射性廃棄物であるドラム缶を縦置き状態で収納し、前記ラックごと定置クレーンで吊上げ定置することを特徴とする放射性廃棄物の定置方法。
【発明の詳細な説明】
【技術分野】
【０００１】
本発明は、原子力発電施設等で発生する放射性廃棄物を埋設接処分する場合に適用する放射性廃棄物の定置設備および定置方法に関するものである。
【背景技術】
【０００２】
原子力発電施設、研究所や病院などの放射性物質を取扱う施設から発生する放射性廃棄物は、ドラム缶に収納して固型化した後に埋設処分することが実施、あるいは計画されている。
【０００３】
一方、原子力発電施設から発生する放射性廃棄物の一部は、ドラム缶に収納後固型化され、専用の放射性廃棄物埋設施設に専用輸送船で運搬された後に、受入れ検査施設において所定の検査が行われ、埋設処分されている。
【０００４】
図１２は、従来の定置方法を示す工程図である。この図１２に示すように、従来では、受入検査施設での検査が終了したドラム缶（廃棄体（Ｓ１〜Ｓ３）は、一旦横倒しされた後に（Ｓ４）、専用車両で埋設施設まで運搬され（Ｓ５、Ｓ６）、専用クレーン（以下、「定置クレーン」と称する。）で吊上げ移送され（Ｓ７）、埋設施設内のコンクリートピット内に俵積みに積み重ねて置かれる（Ｓ８，Ｓ９）（以下、積み重ねて置かれることを（「定置」と称する。）。
【０００５】
定置クレーンとしては、一般産業でも幅広く使用されている門型クレーンを採用しているが、コンクリートピットの外側にコンクリートピットを跨ぐように支柱を配置した大規模なものである。また一連の定置作業とその後の充てん（廃棄体と廃棄体の間にモルタルを注入することを「充てん」と称する。）及び上部をコンクリートで覆う間にコンクリートピット内に雨水が浸入しないように、定置作業用屋根が取り付けられている。
【０００６】
従来の定置設備の概略を図１１に示す。この図１１に示すように、従来の定置設備１は、底壁２，側壁３および仕切り壁４により上部開口のコンクリートピット５を形成している。側壁３の外方には支柱６が立設され、支柱６の上端には定置クレーン用レール７が架設されている。この定置クレーン用レール７に定置クレーン８が搭載されている。また、定置クレーン８から吊り下ろされた掴み具用吊具であるワイヤ９の下端に掴み具１０が設けられ、この掴み具１０に複数のドラム缶１１が掴み保持されるようになっている。また、支柱６には、屋根１２が固定的に設けられている。
【０００７】
このような設備を使用して事前の受入検査施設で転倒させ横倒しにしたドラム缶１１を、コンクリートピット５の脇まで専用のトラック１３にて運搬し、定置を実施している。定置時のドラム缶１１を掴む掴み具１０は、横倒しした複数のドラム缶１１を一度に掴み移動するための機構が要求されている。掴み具１０は作業効率を考慮し複数体が確実に掴めるよう工夫されており、例えば円柱体吊具（特許文献１、２）が提案されている。しかしこのような吊具はその複雑な機構を有しており、掴み具重量、メンテナンス性及び定置クレーンコストの増大要因となっている。
【０００８】
今後新たに定置が予定されている放射性廃棄物の埋設では、これまで埋設されている従来の定置方法を合理化することが求められる。
【特許文献１】特開平１０−２７９２６７号公報（３頁［００１６］、図２、図４）
【特許文献２】特開平１０−２７９２６９号公報（３頁［００１４］、図１、図３、図５等）
【発明の開示】
【発明が解決しようとする課題】
【０００９】
従来の低レベル放射性廃棄物の定置方法においては、ドラム缶１１を俵積みして定置することから、受入検査後に一旦ドラム缶を横倒しする必要があり、複数の横倒しドラム缶を確実に着脱するための吊具が要求されていた。そのため着脱機構が複雑で、メンテナンスも煩雑であった。また複雑な機構を有するが故に重量も重く、クレーンのモータ容量も大きくする必要があった。
【００１０】
さらに、クレーンを支えるレールや支柱の仕様も大きくなり、定置クレーンコストが高額となっていた。なお、現行の俵積みの方式及び個数は、埋設処分後の上部ドラム缶及び覆土を考慮し、埋設作業終了後の処分場健全性に問題ない方法として、俵積み８段積みが採用されている。
【００１１】
ドラム缶単体で埋設する場合には、俵積みが妥当である。しかし定置した上部の廃棄体荷重と定置後の復土の荷重を、ドラム缶単体ではなく、ドラム缶を収納したラックで持たせることで、ドラム缶を縦積みで埋設できる可能性がある。
【００１２】
ドラム缶を縦積みすることが可能となれば、俵積みであるが故に要求された課題が解決され、定置設備の合理化が図ることができる。また、コンクリートピットの構造を加味した門型クレーン等の設置方法により、定置クレーン全体の合理化が可能となる。
【００１３】
本発明は、今後定置が予定されている放射性廃棄物の定置において、従来定置設備の課題を解決するためのものであり、クレーンの合理化及び定置までの廃棄物取扱いを簡易化することができる、ドラム缶に固型化された放射性廃棄物の定置設備および定置方法を提供することを目的とする。
【課題を解決するための手段】
【００１４】
前記の課題を解決するために、請求項１に係る発明では、放射性廃棄物を収納して固型化してドラム缶を吊上げて運搬し、埋設施設のコンクリートピット内に定置する定置クレーンを備えた放射性廃棄物の定置設備において、前記クレーンを支持するクレーン支持部を前記コンリートピットの壁部上に設置したことを特徴とする放射性廃棄物の定置設備を提供する。
【００１５】
請求項２に係る発明では、前記定置クレーンの上部および前記コンクリートピット全体を覆う定置作業用屋根を備え、この屋根は、前記コンクリートピットの側壁上面に設置された定置クレーン用レール上で移動可能とし、かつ張り替え可能なシート、このシートを張る屋根枠および前記屋根枠から垂下する雨除けシート部とを有する請求項１記載の放射性廃棄物の定置設備を提供する。
【００１６】
請求項３に係る発明では、前記前記定置クレーンは、前記ラックを前記コンクリートピットに定置させる際に吊下し時のラックの揺れを防止する振れ止め用シャフトを有する請求項１記載の放射性廃棄物の定置設備を提供する。
【００１７】
請求項４に係る発明では、放射性廃棄物を収納し固型化したドラム缶が数本収納可なラックに放射性廃棄物であるドラム缶を縦置き状態で収納し、前記ラックごと定置クレーンで吊上げ定置することを特徴とする放射性廃棄物の定置方法を提供する。
【発明の効果】
【００１８】
本発明によれば、屋根はフレーム構造体にシートを張った構造とすることで、軽量化を図ることができ、移動時にはレール上を容易にスライドさせることが可能である。また劣化した場合でもシートのみを交換することで長期間の使用が可能となる。フレーム下部に雨除けシートを取り付けることで、暴風時の横方向からの雨の吹き込みも防止することができる。
【００１９】
また、本発明によれば、安価でかつ長期間にわたって使用可能な定置作業用屋根を提供することができる。
【発明を実施するための最良の形態】
【００２０】
以下、本発明に係る放射性廃棄物の定置設備および定置方法について、図１〜図１０を参照して説明する。
【００２１】
図１は、放射性廃棄物の定置設備の構成を示す正面図である。図２は、図１の平面図であり、図３は図２の側面図である。図４は、廃棄物容器を収容するラックの構成を示す正面図である。図５は、図４の平面図であり、図６は、図１の側面図である。
【００２２】
図１〜図３に示すように、定置設備２１は、底壁２２および側壁２３によってコンクリートピット２５を形成している。側壁２３の上には定置クレーン用縦縦レール２４が設けられている。定置クレーン用縦レール２４上には台脚２６を介して作業屋根移動機構２７が支持されている。作業屋根移動機構２７には定置クレーン用横レール２８が支持され、定置クレーン用横レール２８には運手席２９ａを有する定置クレーン２９が搭載され、横方向ａの移動が行えるようになっている。
【００２３】
定置クレーン２９には定置クレーン用モータ３０が設けられ、これにより昇降するラック吊具用ワイヤ３１が吊下げ可能に設けられている。また、定置クレーン２９には伸縮部３２ａを有する振れ止め用ワイヤ３２が設けられている。ワイヤ３２の下端部には、ラック吊具２９ｂが設けられている。
【００２４】
屋根４０は、屋根枠４１とシート４２とからなり、屋根枠４１は、図２および図３に示すように、定置クレーン用縦レール２４上でｂ方向に走行できる定置クレーン用ガータ２７ａに支持されている。シート４２の下端部は雨除けシート４３として垂下している。
【００２５】
このような構成において、ドラム缶（廃棄体）１１は、受入れ検査後に立てたままラック５０に収納され、輸送車両で埋設施設脇に移送される。
【００２６】
図４はラックを示す正面図であり、図５は平面図、図６は側面図である。これらの図に示すように、ラック５０は、縦枠５１、底枠５２および吊ピース５３を備え、例えば４体のドラム缶１１を同時に縦状態で収納できる構成とされている。
【００２７】
以上のように、本実施形態では、コンクリートピット２５には壁面に取り付けられた定置クレーン２９が、定置クレーン用縦レール２４および定置クレーン用横レール２８上に設置されたガータにより任意の位置に移動することが可能である。
【００２８】
定置作業は以下の手順で行われる。
【００２９】
まず、図７に示すように、受入検査施設での検査が終了したドラム缶（廃棄体（Ｓ１１〜Ｓ１３）は、縦状態のまま、専用車両で埋設施設まで運搬され（Ｓ１４〜Ｓ１６）、定置クレーン２９で吊上げ移送され（Ｓ１７）、埋設施設内のコンクリートピット２５内にラック５０に収容されたままで置かれる（Ｓ１８）。
【００３０】
この場合、移送時においては、まず、（１）ドラム缶収納ラック５０を積載した輸送車両１３が、コンクリートピット２５脇の所定位置で停止する。  
（２）運転席２９ａで操作し、定置クレーンを輸送車両１３上まで移動する。  
（３）定置クレーン２９に取り付けられた吊下げ用のワイヤ３１を、輸送車両に積載されたラック上まで下ろし、ワイヤ３１に取り付けられた掴み具２９ａによりラック５０の吊ピース５３を掴む。  
（４）ワイヤ３１を上昇させた後に、定置クレーン２９のレール上の移動により、コンクリートピット２５上の所定の位置までラック５０を移送する。  
（５）ワイヤ１５を降下させてワイヤ３１下端の掴み具２９ａで掴んだラック５０をコンクリートピット２５内に下し、掴みを外して、ドラム缶１１をラック５０ごと定置する。  
（６）その後、（２）から（５）の作業を繰り返す。
【００３１】
以上の第１実施形態によれば、定置クレーン２９の支持部をコクリートピット５０を構成する側壁２３壁面に設置することにより、従来のようにピット外方に定置クレーンを設置する場合に比して、支柱構造を短縮することができる。
【００３２】
なお、ラック５０を炭素鋼等で製作することで、耐埋設荷重を有する構造にすることが可能である。このようなラック５０の使用により、受入検査施設での検査終了後に横倒しせず、立てたままでドラム缶１１を収納でき、ラック単位で取扱うことが可能となる。
【００３３】
また、ラック５０に取り付けた吊ピース５３により、定置クレーン２９の掴み具２９ａによる把持および着脱機構を簡易にすることができる。
【００３４】
さらに、図７に示したように、本実施形態においては、ドラム缶１１の転倒作業が不要となるため、その転倒のための装置が不要となる。さらにまた、従来のようなドラムを直接把持する面倒な円柱形状ではなく、ラック５０の吊ピース５３を把持するものであるため、把持が確実となり、また把持装置の構造も簡便となる。
【００３５】
また、既存の埋設施設では、受入検査施設〜定置施設の廃棄体輸送は専用車両で行われているが、受入検査施設での転倒がなくなりラック単位で取扱えることにより、専用車両ではなく、汎用車両で実施することができる。
【００３６】
また、ラック使用による吊具簡素化により定置クレーンのレールを支える支柱を細くすることができる。定置クレーンに振れ防止用のシャフト３２を備えることで、ラック吊具２９ｂの上下動をワイヤ２１で行っても、所定の位置上で確実に移動することができ、クレーン操作も容易となる。
【００３７】
また、定置クレーン２９は、従来の定置に必要な機能を損ねることなく、安価なクレーンとして提供することができる。
【００３８】
また、ラック使用により、ドラム缶転倒装置が不要となり、処分施設へ移送するための払出積載及び定置クレーンの取扱い機構が簡便化されるため、メンテナンス性が向上するのみならず、放射性廃棄物の定置設備全体のコストダウンに繋がる。
【００３９】
次に屋根構造について説明する。屋根４０は、定置作業と、その後のピット内へのモルタル充填、更にコンクリートの覆い作業を行う際に、雨水の浸入を防止して作業を円滑に実施する目的で設置されるものである。定置クレーン２９は、側壁２３上に、定置クレーン用横レール２８を敷設して設置されたものであり、本実施形態である定置作業用屋根は、この定置クレーン用横レール２８を共用している。また定置クレーン２９を用いて移動させるため、屋根専用の動力を必要とせずに移動可能なする構造となっている。
【００４０】
所定のコンクリートピットでの定置作業が終了し、別のコンクリートピットへ作業を移す場合は定置クレーン２９と共に、この定置作業用屋根５を移動することが可能である。
【００４１】
屋根４０はフレーム構造体である屋根枠４１にシートを張った構造とすることで、軽量化を図ることができ、移動時にはレール上を容易にスライドさせることが可能である。また、劣化した場合でもシート４０のみを交換することで長期間の使用が可能となる。フレーム下部に雨除けシート４３を取り付けることで、暴風時の横方向からの雨の吹き込みも防止することができる。
【００４２】
以上のように、本実施形態によれば、安価でかつ長期間にわたって使用可能な定置作業用屋根を提供することができる。
【００４３】
なお、本実施形態では、各種構成の設備について実施することができる。
【００４４】
例えば、図８〜図１０では、幅、高さ、収容数等の異なる設備について実施した場合を示している。このように、本実施形態では、種々の設備についても実施することができる。なお、図８〜図１０においては、図１〜図３と同一の符号を付して説明を省略する。
【図面の簡単な説明】
【００４５】
【図１】本発明の第１実施形態による放射性廃棄物の定置設備を示す正面図。
【図２】図１の平面図。
【図３】図２の側面図。
【図４】第１実施形態のラック構造および容器搭載状態の平面図。
【図５】図４の平面図。
【図６】図４の側面図。
【図７】第１実施形態の工程図。
【図８】第２実施形態の正面図。
【図９】第２実施形態の平面図。
【図１０】第２実施形態の側面図。
【図１１】従来技術の構成図。
【図１２】従来技術の工程図。
【符号の説明】
【００４６】
２１  定置設備
２２  底壁
２３  側壁
２５  コンクリートピット
２６  台脚
２７  作業屋根移動機構
２９  定置クレーン
４０  屋根
４１  屋根枠
４２  シート
【図１】
2006337120.tif 000003
【図２】
2006337120.tif 000004
【図３】
2006337120.tif 000005
【図４】
2006337120.tif 000006
【図５】
2006337120.tif 000007
【図６】
2006337120.tif 000008
【図７】
2006337120.tif 000009
【図８】
2006337120.tif 000010
【図９】
2006337120.tif 000011
【図１０】
2006337120.tif 000012
【図１１】
2006337120.tif 000013
【図１２】
2006337120.tif 000014